(57)【要約】本開示は、ブラケット（１００、１０２、１０４）のそれぞれのアーチワイヤスロット（１０５、１１５）の深さは、概して、前歯（１２０）から後歯（１５０）に向かって増加するようになっている、患者の歯（１２０、１５０）に対する歯列矯正ブラケット（１００、１０２、１０４）の配置を含む歯列矯正システムおよび治療方法に関する。ブラケット配置のアーチワイヤスロット（１０５、１１５）を徐々に増加させることで、前歯（１２０）の動きをより細かく制御できるようになり、後歯（１５０）に十分な制御と動きの自由度が与えられる。
2020520737.tif 000002
【特許請求の範囲】
【請求項１】
第１の歯に第１のデンタルブラケットを固定する工程であって、
前記第１のデンタルブラケットは、該第１のデンタルブラケットの上面から第１のフロアへと下方に延びる第１のアーチワイヤスロットを有し、
該第１のアーチワイヤスロットは、前記上面から唇−舌方向に前記第１のフロアまでで測定される第１の深さを有する工程と、
前記第１の歯に隣り合う第２の歯に第２のデンタルブラケットを固定する工程であって、
前記第２のデンタルブラケットは、該第２のデンタルブラケットの上面から第２のフロアへと下方に延びる第２のアーチワイヤスロットを有し、
該第２のアーチワイヤスロットは、前記上面から唇−舌方向に前記第２のフロアまでで測定される第２の深さを有し、
該第２の深さは、前記第１のアーチワイヤスロットの前記第１の深さと略同じである、工程と、
第３の歯に第３のデンタルブラケットを固定する工程であって、
前記第３のデンタルブラケットは、該第３のデンタルブラケットの上面から第３のフロアへと下方に延びる第３のアーチワイヤスロットを有し、
該第３のアーチワイヤスロットは、前記上面から唇−舌方向に前記第３のフロアまでで測定される第３の深さを有し、
前記第３のアーチワイヤスロットの前記第３の深さは、前記第１および第２のアーチワイヤスロットの前記第１および第２の深さのそれぞれよりも深い工程と、
前記第１、第２、および第３のアーチワイヤスロットを通って延びる第１のアーチワイヤを用いて、前記第１、第２、および第３のブラケットを結合し、
前記第１のアーチワイヤは、前記第３の歯と比較して、前記第１の歯および第２の歯を動かすためのより細かい制御を提供し、一方、前記第３の歯を所望のアライメントに促すために、前記第３のアーチワイヤスロット内でより多くの動きの自由度を有する工程と、
を含む、歯列矯正治療方法。
【請求項２】
第４の歯に第４のデンタルブラケットを固定する工程であって、
前記第４のデンタルブラケットは、該第４のデンタルブラケットの上面から第４のフロアへと下方に延びる第４のアーチワイヤスロットを有し、
該第４のアーチワイヤスロットは、前記上面から唇−舌方向に前記第４のフロアまでで測定される第４の深さを有する工程をさらに含み、
前記第４のアーチワイヤスロットの前記第４の深さは、前記第１および第２のアーチワイヤスロットの前記第１および第２のそれぞれの深さよりも深い、請求項１に記載の歯列矯正治療方法。
【請求項３】
前記第３および第４の歯は互いに隣り合い、
前記第３のアーチワイヤスロットの前記第３の深さは、前記第４のアーチワイヤスロットの前記第４の深さと略同じである、請求項２に記載の歯列矯正治療方法。
【請求項４】
第５の歯に第５のデンタルブラケットを固定する工程であって、
前記第５のデンタルブラケットは、該第５のデンタルブラケットの上面から第５のフロアへと下方に延びる第５のアーチワイヤスロットを有し、
該第５のアーチワイヤスロットは、前記上面から唇−舌方向に前記第５のフロアまでで測定される第５の深さを有する工程をさらに含み、
前記第５の深さは、前記第３のアーチワイヤスロットの前記第３の深さと前記第４のアーチワイヤスロットの前記第４の深さの両方よりも深い、請求項２に記載の歯列矯正治療方法。
【請求項５】
第５の歯に第５のデンタルブラケットを固定する工程であって、
前記第５のデンタルブラケットは、該第５のデンタルブラケットの上面から第５のフロアへと下方に延びる第５のアーチワイヤスロットを有し、
該第５のアーチワイヤスロットは、前記上面から唇−舌方向に前記第５のフロアまでで測定される第５の深さを有する工程をさらに含み、
前記第５の深さは、前記第３のアーチワイヤスロットの前記第３の深さよりも深く、前記第４のアーチワイヤスロットの前記第４の深さよりも浅い、請求項２に記載の歯列矯正治療方法。
【請求項６】
前記第１のアーチワイヤスロットの唇−舌方向における前記第１の深さは、対応する前記第１のアーチワイヤの唇−舌方向寸法の１０２％〜１１０％の間の範囲であり、
前記第３のアーチワイヤスロットの唇−舌方向における前記第３の深さは、対応する前記第１のアーチワイヤの唇−舌方向寸法の１１０％〜１４０％の間の範囲である、請求項１に記載の歯列矯正治療方法。
【請求項７】
前記第１のアーチワイヤスロットの唇−舌方向における前記第１の深さは、対応する前記第１のアーチワイヤの唇−舌方向寸法の１０２％〜１１０％の間の範囲であり、
前記第３のアーチワイヤスロットの唇−舌方向における前記第３の深さは、対応する前記第１のアーチワイヤの唇−舌方向寸法の１１０％〜１２５％の間の範囲であり、
前記第４のアーチワイヤスロットの唇−舌方向における前記第４の深さは、対応する前記第１のアーチワイヤの唇−舌方向寸法の１２０％〜１４０％の間の範囲である、請求項２に記載の歯列矯正治療方法。
【請求項８】
所定の期間の後に、前記第１、第２、および第３のブラケットから前記第１のアーチワイヤを取り外す工程と、
前記第１のアーチワイヤとは異なる断面を有する第２のアーチワイヤを用いて前記第１、第２、および第３のブラケットを結合する工程と、
をさらに含む、請求項１に記載の歯列矯正治療方法。
【請求項９】
第１の前歯に第１のデンタルブラケットを固定する工程であって、
前記第１のデンタルブラケットは、該第１のデンタルブラケットの上面から第１のフロアへと下方に延びる第１のアーチワイヤスロットを有し、
該第１のアーチワイヤスロットは、前記上面から唇−舌方向に前記第１のフロアまでで測定される第１の深さを有する工程と、
前記第１の前歯に隣り合う第２の前歯に第２のデンタルブラケットを固定する工程であって、
前記第２のデンタルブラケットは、該第２のデンタルブラケットの上面から第２のフロアへと下方に延びる第２のアーチワイヤスロットを有し、
該第２のアーチワイヤスロットは、前記上面から唇−舌方向に前記第２のフロアまでで測定される第２の深さを有し、
前記第２の前歯に隣り合う第１の臼歯に第３のデンタルブラケットを固定する工程であって、
前記第３のデンタルブラケットは、該第３のデンタルブラケットの上面から第３のフロアへと下方に延びる第３のアーチワイヤスロットを有し、
該第３のアーチワイヤスロットは、前記上面から唇−舌方向に前記第３のフロアまでで測定される第３の深さを有し、
前記第３のアーチワイヤスロットの前記第３の深さは、前記第１および第２のアーチワイヤスロットの前記第１および第２の深さのそれぞれよりも深い工程と、
第２の臼歯に第４のデンタルブラケットを固定する工程であって、
前記第４のデンタルブラケットは、該第４のデンタルブラケットの上面から第４のフロアへと下方に延びる第４のアーチワイヤスロットを有し、
該第４のアーチワイヤスロットは、前記上面から唇−舌方向に前記第４のフロアまでで測定される第４の深さを有し、
前記第４のアーチワイヤスロットの前記第４の深さは、前記第１および第２のアーチワイヤスロットの前記第１および第２の深さのそれぞれよりも深い工程と、
前記第１、第２、第３、および第４のアーチワイヤスロットを通って延びる第１のアーチワイヤを用いて、前記第１、第２、第３、および第４のブラケットを結合する工程であって、
前記第１のアーチワイヤは、前記第３の臼歯および前記第４の臼歯と比較して、前記第１の前歯および第２の前歯を動かすためのより細かい制御を提供し、一方、前記第３の臼歯および前記第４の臼歯を所望のアライメントに促すために、前記第３のアーチワイヤスロットおよび前記第４のアーチワイヤスロット内でより多くの動きの自由度を有する工程と、
を含む、歯列矯正治療方法。
【請求項１０】
前記第１のアーチワイヤスロットおよび前記第２のアーチワイヤスロットの唇−舌方向における前記第１の深さおよび前記第２の深さは、それぞれ、対応する前記第１のアーチワイヤの唇−舌方向寸法の１０２％〜１１０％の間の範囲であり、
前記第３のアーチワイヤスロットの唇−舌方向における前記第３の深さは、対応する前記第１のアーチワイヤの唇−舌方向寸法の１１０％〜１２５％の間の範囲であり、
前記第４のアーチワイヤスロットの唇−舌方向における前記第４の深さは、対応する前記第１のアーチワイヤの唇−舌方向寸法の１２０％〜１４０％の間の範囲である、請求項９に記載の歯列矯正治療方法。
【請求項１１】
第１の歯に固定可能な第１のデンタルブラケットであって、
前記第１のデンタルブラケットは、該第１のデンタルブラケットの上面から第１のフロアへと下方に延びる第１のアーチワイヤスロットを有し、
該第１のアーチワイヤスロットは、前記上面から唇−舌方向に前記第１のフロアまでで測定される第１の深さを有する、第１のデンタルブラケットと、
前記第１の歯に隣り合う第２の歯に固定可能な第２のデンタルブラケットであって、
前記第２のデンタルブラケットは、該第２のデンタルブラケットの上面から第２のフロアへと下方に延びる第２のアーチワイヤスロットを有し、
該第２のアーチワイヤスロットは、前記上面から唇−舌方向に前記第２のフロアまでで測定される第２の深さを有し、
該第２の深さは、前記第１のアーチワイヤスロットの前記第１の深さと略同じである、第２のデンタルブラケットと、
第３の歯に固定可能な第３のデンタルブラケットであって、
前記第３のデンタルブラケットは、該第３のデンタルブラケットの上面から第３のフロアへと下方に延びる第３のアーチワイヤスロットを有し、
該第３のアーチワイヤスロットは、前記上面から唇−舌方向に前記第３のフロアまでで測定される第３の深さを有し、
前記第３のアーチワイヤスロットの前記第３の深さは、前記第１および第２のアーチワイヤスロットの前記第１および第２の深さのそれぞれよりも深い、第３のデンタルブラケットと、
前記第１、第２、および第３のアーチワイヤスロットを通って延び、前記第１、第２、および第３のブラケットを結合する第１のアーチワイヤであって、
前記第１のアーチワイヤは、前記第３の歯と比較して、前記第１の歯および第２の歯を動かすためのより細かい制御を提供し、一方、前記第３の歯を所望のアライメントに促すために、前記第３のアーチワイヤスロット内でより多くの動きの自由度を有する第１のアーチワイヤと、
を備える、歯列矯正治療システム。
【請求項１２】
第４の歯に固定可能な第４のデンタルブラケットであって、
前記第４のデンタルブラケットは、該第４のデンタルブラケットの上面から第４のフロアへと下方に延びる第４のアーチワイヤスロットを有し、
該第４のアーチワイヤスロットは、前記上面から唇−舌方向に前記第４のフロアまでで測定される第４の深さを有し、
前記第４のアーチワイヤスロットの前記第４の深さは、前記第１および第２のアーチワイヤスロットの前記第１および第２の深さのそれぞれよりも深い、第４のデンタルブラケット、
をさらに備える、請求項１２に記載の歯列矯正治療システム。
【請求項１３】
前記第３および第４の歯は互いに隣り合い、
前記第３のアーチワイヤスロットの前記第３の深さは、前記第４のアーチワイヤスロットの前記第４の深さと略同じである、請求項１２に記載の歯列矯正治療システム。
【請求項１４】
第５の歯に固定可能な第５のデンタルブラケットであって、
前記第５のデンタルブラケットは、該第５のデンタルブラケットの上面から第５のフロアへと下方に延びる第５のアーチワイヤスロットを有し、
該第５のアーチワイヤスロットは、前記上面から唇−舌方向に前記第５のフロアまでで測定される第５の深さを有し、
前記第５の深さは、前記第３のアーチワイヤスロットの前記第３の深さと前記第４のアーチワイヤスロットの前記第４の深さの両方よりも深い、請求項１２に記載の歯列矯正治療システム。
【請求項１５】
第５の歯に固定可能な第５のデンタルブラケットであって、
前記第５のデンタルブラケットは、該第５のデンタルブラケットの上面から第５のフロアへと下方に延びる第５のアーチワイヤスロットを有し、
該第５のアーチワイヤスロットは、前記上面から唇−舌方向に前記第５のフロアまでで測定される第５の深さを有する工程をさらに含み、
前記第５の深さは、前記第３のアーチワイヤスロットの前記第３の深さよりも深く、前記第４のアーチワイヤスロットの前記第４の深さよりも浅い、第５のデンタルブラケット、
をさらに備える、請求項１２に記載の歯列矯正治療システム。
【請求項１６】
前記第１のアーチワイヤスロットの唇−舌方向における前記第１の深さは、対応する前記第１のアーチワイヤの唇−舌方向寸法の１０２％〜１１０％の間の範囲であり、
前記第３のアーチワイヤスロットの唇−舌方向における前記第３の深さは、対応する前記第１のアーチワイヤの唇−舌方向寸法の１１０％〜１４０％の間の範囲である、請求項１１に記載の歯列矯正治療システム。
【請求項１７】
前記第１のアーチワイヤスロットの唇−舌方向における前記第１の深さは、対応する前記第１のアーチワイヤの唇−舌方向寸法の１０２％〜１１０％の間の範囲であり、
前記第３のアーチワイヤスロットの唇−舌方向における前記第３の深さは、対応する前記第１のアーチワイヤの唇−舌方向寸法の１１０％〜１２５％の間の範囲であり、
前記第４のアーチワイヤスロットの唇−舌方向における前記第４の深さは、対応する前記第１のアーチワイヤの唇−舌方向寸法の１２０％〜１４０％の間の範囲である、請求項１２に記載の歯列矯正治療システム。
【請求項１８】
前記第１のアーチワイヤは、前記第１アーチワイヤスロットの前記第１のフロアに着座して接触し、前記第１アーチワイヤスロット上に延びる第１結紮構造にも接触し、
前記第１のアーチワイヤは、前記第２のアーチワイヤスロットの前記第２のフロアに着座して接触し、第２のアーチワイヤスロット上に延びる第２の結紮構造にも接触し、
前記第１のアーチワイヤは、前記第３のアーチワイヤスロットの前記第３のフロアおよび前記第３の結紮構造の一方に着座して接触し、前記第３のフロアおよび前記第３の結紮構造の他方から離間している、請求項１１に記載の歯列矯正治療システム。
【発明の詳細な説明】
【技術分野】
【０００１】
本開示の分野は、一般に、歯列矯正ブラケットに関し、特に、患者の歯のずれを修正するために使用されるそのようなブラケットに関する。一般にブレースと呼ばれるこのような器具は、歯の位置を合わせてまっすぐにし、患者の口の外観を改善するだけでなく、ヒトのかみ合わせに対して歯を配置するために使用される。このような器具は、歯のアンダーバイト、オーバーバイト、不正咬合、およびその他のさまざまな歯のずれを矯正するために使用できる。
【背景技術】
【０００２】
歯列矯正器具は、患者の歯を揃えて真っ直ぐにし、歯と顎に関連する他のさまざまな傷を矯正するために一般的に使用される歯科矯正装置である。通常、歯科ブレースには歯列矯正ブラケットのセットが含まれ、各ブラケットは結合材料またはその他の接着剤で個々の歯に接着されている。ブラケットが歯の所定の位置に配置されると、各ブラケットに形成されたスロットにアーチワイヤが挿入される。この構成では、アーチワイヤを締めるとブラケットに圧力がかかり、歯の動きが望ましい位置と向きになる。従来のブレースでは、弾性結紮またはＯリングを使用して、アーチワイヤを所定の位置に保持し、アーチワイヤがブラケットスロットから外れないようにする。最近の設計では、自己結紮ブレースは、弾性結紮糸の代わりにスライド式またはヒンジ式のドア機構を使用して、アーチワイヤをブラケットスロット内に固定する。
【発明の概要】
【０００３】
歯の問題を修正するためにブレースを使用して患者の歯を治療するには、通常、進行状況を監視し、治療の進行に合わせてブレースを調整するためにいくつかの予約が必要である。したがって、本発明者らは、患者の歯をより効率的に位置合わせすることにより治療の長さを短縮するために治療プロセスを合理化する改善されたシステムの必要性を特定した。追加の態様および利点は、添付の図面を参照して進める以下の好ましい実施形態の詳細な説明から明らかになるであろう。
【図面の簡単な説明】
【０００４】
【図１】図１は、アーチワイヤを使用して歯科器具が取り付けられた歯列を示す図である。
【図２】図２は、図１の歯科器具の断面図である。
【図３】図３Ａ、図３Ｂ、図３Ｃは、異なる形状のアーチワイヤを図１の歯科用器具に徐々に適用して、患者の歯を所望の位置に向かって徐々に移動させる従来の治療プログラムの時間経過の例をまとめて示す。
【図４】図４は、開示された実施形態に従って歯科器具が取り付けられた歯列を示す図である。図４Ａおよび４Ｂは、本明細書に開示される新規の歯科矯正システムを使用した、図４の線Ａ−ＡおよびＢ−Ｂに沿った断面をそれぞれ示す。
【図５】図５Ａおよび５Ｂは、図４Ａおよび４Ｂの歯列矯正システムを使用した改善されたトルク制御の例を示す。図５Ｃは、図３Ａ、３Ｂ、および３Ｃの従来の歯科矯正システムを使用して予想される典型的なトルク制御を示す。
【図６】図６Ａは、図４Ａおよび４Ｂの歯列矯正システムを使用した改善された先端制御の例を示す。図６Ｂは、図３Ａ、３Ｂ、および３Ｃの従来の歯科矯正システムを使用して予想される典型的な先端制御を示す。
【図７】図７Ａおよび７Ｂは、図４Ａおよび４Ｂの歯列矯正システムを使用した改善された回転制御の例を示す。図７Ｃは、図３Ａ、３Ｂ、および３Ｃの従来の歯科矯正システムを使用して予想される典型的な回転制御を示す。
【発明を実施するための形態】
【０００５】
図面を参照して、このセクションでは、さまざまな歯列矯正ブラケットの特定の実施形態、およびそれらの詳細な構造と動作について説明する。本明細書を通して、「一実施形態」、「実施形態」、または「いくつかの実施形態」への言及は、特定の記載された特徴、構造、または特性が歯列矯正ブラケットの少なくとも１つの実施形態に含まれ得ることを意味する。したがって、本明細書全体の様々な場所における「一実施形態では」、「実施形態では」、または「いくつかの実施形態では」という語句の出現は、必ずしもすべて同じ実施形態を指すものではない。さらに、説明される特徴、構造、および特性は、１つまたは複数の実施形態において任意の適切な方法で組み合わせることができる。本明細書の開示を考慮して、当業者は、１つ以上の特定の詳細なしで、または他の方法、構成要素、材料などを用いて様々な実施形態を実施できることを認識するであろう。
【０００６】
以下の説明では、歯列矯正ブラケットの特定の構成要素を詳細に説明する。いくつかの例では、実施形態のより適切な態様を曖昧にすることを避けるために、よく知られている構造、材料、または動作は詳細に図示および／または説明されていないことを理解されたい。加えて、実施形態は特定の歯列矯正ブラケットの設計を例示および参照してもよいが、他の実施形態は、記載された実施形態よりも追加または少ないコンポーネントを含んでもよい。
【０００７】
図面を一般的に参照すると、以下の開示は、歯列矯正治療を改善するために設計された歯列矯正システムに関する。以下に詳細に説明する歯科矯正システムは、デンタルブラケットのアーチワイヤスロットの寸法に対するアーチワイヤの寸法の関係を使用して、治療プロセス中に歯に加えられる力の精度と制御を高める。簡潔に述べると、歯列矯正ブラケットは患者の歯に対して配置され、ブラケットのそれぞれのアーチワイヤスロットの深さは一般に前歯から後歯に向かって増加する。いくつかの実施形態では、アーチワイヤスロットの深さは、前歯から始まる各歯の後続のブラケットごとに必ずしも増加しない場合がある。例えば、いくつかの実施形態では、中央歯、外側歯、および犬歯はそれぞれ、第１アーチワイヤスロットを備えた第１ブラケットを有してもよく、小臼歯はそれぞれ、第１ブラケットの第１アーチワイヤスロットより深いアーチワイヤスロットを持つ第２ブラケットを有してもよく、臼歯はそれぞれ、第２ブラケットのアーチワイヤスロットより深いアーチワイヤスロットを持つ第３ブラケットを有してもよい。
【０００８】
どちらの実施形態でも、アーチワイヤが治療開始時の円形断面から進行し、その後、治療中にさまざまな円形および正方形の断面を通過するにつれて、アーチワイヤがアーチワイヤスロット内のブラケットを押すときに発生する力により、すべての歯が動かされる。アーチワイヤスロットの寸法は前歯で最小、後歯で最大であるため、治療により前歯の制御が向上し、より正確になり、すべての歯が適切に動いて落ち着くように十分な動きの自由度が得られる。以下でさらに詳しく説明するように、前歯から後歯へのアーチワイヤスロットサイズの漸進的な進行は、従来の治療と比較してプロセスの早い段階で歯の詳細な調整プロセスを開始し、それによって全体的な治療時間を短縮するように特に設計されている。歯列矯正治療システムおよび関連する治療方法に特に関連する追加の詳細を、図面を参照して以下でさらに詳細に説明する。
【０００９】
書面による説明に移る前に、以下は本開示で使用される用語のリストである。これらの用語は、当業者によって理解される意味に従って使用されるが、本明細書では、一貫性を確保し、当業者による仕様の理解を容易にするために提供される。
【００１０】
前方：頭の正面、または唇の方向。「後方」の反対。
【００１１】
前歯：１本の犬歯からもう１本の犬歯までにわたる、下顎または上顎のいずれかの歯。
【００１２】
頬方向：頬に向かう方向。通常は臼歯（後歯）に関連して使用される。「舌方向」の反対。
【００１３】
頬−舌側方向：患者の頬と患者の舌の間に広がる特定の臼歯を通る方向またはそれに沿った方向。
【００１４】
遠位方向：歯の正中線から離れた特定の歯の側面の方向。近位方向の反対。
【００１５】
歯列弓：下顎または上顎のいずれかにある歯の列。
【００１６】
歯の正中線：患者の口を２つの半分に分割し、患者の２つの中央前歯を通って口の後ろ側に伸びる想像線。
【００１７】
歯肉方向：特定の歯の下の歯茎に向かう方向。
【００１８】
切歯方向：特定の前歯の咬合面に向かう方向。
【００１９】
切歯−歯肉方向：咬合面からその歯の下の歯茎まで伸びている特定の前歯を通る、またはそれに沿った方向。
【００２０】
唇方向：唇に向かう方向。通常は前歯に関連して使用される。舌方向の反対。
【００２１】
唇−舌方向：患者の唇から患者の舌までの間に広がる特定の前歯を通る、またはそれに沿った方向。
【００２２】
下顎（Mandibular）：下顎（lower jaw）に関連する。
【００２３】
上顎（Maxillary）：上顎（upper jaw）に関連する。
【００２４】
近位（近心）：歯の正中線に向かう特定の歯の側面の方向。遠位（遠心）の反対。
【００２５】
近位−遠位方向：歯の近位側から歯の遠位側へ延びる特定の歯を通る方向。歯に対する近位−遠位方向は、本質的に、関連する上または下の歯列を通る曲線に沿っている。
【００２６】
咬合方向：特定の臼歯の咬合面に向かう方向。
【００２７】
咬合−歯肉方向：咬合面からその歯の下の歯茎まで伸びる任意の特定の臼歯を通る、またはそれに沿った方向。
【００２８】
後方：頭の後ろに向かう方向。前方の反対。
【００２９】
臼歯（後歯）：犬歯の後方の下顎または上顎のいずれかの歯。
【００３０】
回転：歯肉方向に方向づけられた垂直軸周りの、治療の過程における歯の角度回転。
【００３１】
傾斜（Tip）：頬−舌方向に方向づけられた水平軸周りの、治療の過程における歯の角度回転。
【００３２】
トルク：近位−遠位方向に方向づけられた水平軸周りの、治療の過程における歯の角度回転。
【００３３】
図１および図２を一般的に参照して、以下は、従来のプロセスによる治療システム１を簡単に説明する。図を参照すると、治療システム１は、患者の歯３の列に適用される複数のブラケット２を備える。ブラケット２は、アーチワイヤスロット６を介するなどの適切な手段、およびアーチワイヤ４をアーチワイヤスロット６に保持するためのカバー５などの結紮構造を通して、アーチワイヤ４によって一緒に接続される。前述したように、ブレースを使用した患者の治療では、通常、アーチワイヤ４を繰り返し調整して、アーチワイヤ４の張力がブラケット２を介して歯３に加えられると、歯３が所望の最終位置に移動する。
【００３４】
図３Ａ、３Ｂ、および３Ｃは、異なる形状のアーチワイヤを図１の歯科用器具に徐々に適用して、患者の歯を所望の位置に向かって徐々に移動させる従来の治療プログラムの時間経過の例をまとめて示している。図３Ａを参照すると、それぞれのブラケット２に形成されたアーチワイヤスロット６は、結紮構造５によってブラケット２の上端に沿って閉じられた細長い長方形の開口として形成されてもよい。結紮構造５は、アーチワイヤスロット６上に延在するスライドドアまたはヒンジドアであってもよく、弾性バンド、または他の任意の適切な構造であってもよい。患者の歯のそれぞれにブレースのセットが最初に適用されるとき、円形断面のアーチワイヤ４Ａが使用される。通常、円形アーチワイヤ４Ａは、長方形のスロット６に取り付けられた円形断面アーチワイヤ４Ａと組み合わせて、比較的柔軟なニッケルチタン材料で作られ、アーチワイヤ４Ａは患者の歯３に比較的低い力を加え、ブラケット２は、歯３がより整列した状態に向かって移動するときに互いに対して移動する大きな遊びを持っている。円形アーチワイヤ４Ａが治療プロセスで使用される場合、アーチワイヤ４Ａをねじるとブラケット２に回転力が加わらないため、歯３のトルク制御はない。
【００３５】
最終的に、図３Ｂに示される治療の第２段階では、円形断面のアーチワイヤ４Ａは、長方形断面のアーチワイヤ４Ｂに置き換えられる。患者の歯に必要な矯正の程度に応じて、アーチワイヤ４Ｂは、ニッケルチタン（丸いアーチワイヤ４Ａと同様）で作られてもよく、より大きな程度の矯正が必要な場合、ベータチタン合金などのより硬い材料で作られてもよい。図３Ｂに示すように、アーチワイヤ４Ｂは、アーチワイヤスロット６よりも全体寸法がわずかに小さいが、治療の第１段階で使用する丸いアーチワイヤ４Ａよりも全体断面が大きい。したがって、アーチワイヤ４Ｂは、歯３に増大した力および制御を加えることができ、ブラケット２は、治療の第１段階に存在したよりもアーチワイヤ４Ａに対する遊びが少ない。
【００３６】
治療の最終段階では、アーチワイヤ４Ｂは、図３Ｃに示されるように、より大きな断面の別の長方形アーチワイヤ４Ｃに置き換えられる。アーチワイヤ４Ｃは、典型的には、それが置き換えるアーチワイヤ４Ｂよりもはるかに硬く、ステンレス鋼または他の同様に硬い材料で作ることができる。この第３の治療段階は、前の治療段階と比較して、アーチワイヤ４Ｃおよびブラケット２を介して歯３に加えられる力および制御を再び増加させる。アーチワイヤスロット６におけるアーチワイヤ４Ｃのより緊密な係合（勘合）により、ブラケット２は、治療の第１段階および第２段階のいずれかに存在するよりも互いに対する遊びがほとんどない。
【００３７】
前述したように、本発明者らは、すべての歯が同時に同じ量の力を受ける必要があるわけではない、および／またはすべての歯が治療中に同じ量の遊びを必要とするわけではないという認識に基づいて、図３Ａ〜３Ｃで説明した従来のシステムよりも改善されたより効率的な治療システムおよび方法を適用できると判断した。言い換えれば、すべての歯に均一な力のプロファイルは必要ない。反対に、必要に応じて異なる歯（例えば前歯と後歯）で変化する力プロファイルは、全体の治療時間を短縮するだけでなく、必要に応じて歯の動きをより高度に制御する。
【００３８】
本発明者らは、ブレースによる歯科治療の主な目的の一つは、所望の審美的外観を達成するための前歯の正確な位置決めであり、後歯の位置決めはそれほど正確である必要はないことを理解する。したがって、改善された治療システムは、下顎または上顎の歯列弓に沿って配置するためのブラケットのセットを使用することが好ましく、アーチワイヤスロットの断面は、必要に応じて前歯と後歯に目標とする力プロファイルをもたらすために、歯の正中線から弓の遠位方向に変化する（すなわち、前部ブラケットから後部ブラケット）。このシステムは、従来のシステムと比較して次の利点を提供する：（１）歯列弓の前部の歯の制御が向上するため、治療の質が向上する；（２）治療中の歯の動きを早期に制御し、現在のシステムと比較して治療時間を短縮すると同時に、適切な動きの自由度を提供し、歯が望ましい位置に効率的に移動できる；（３）アーチワイヤの寸法を適切にサイジングすることにより、力が低く効率的であるため、患者の体感が向上する。改善された歯列矯正治療の方法およびシステムの追加の詳細を以下に示す。
【００３９】
特に図４、４Ａ、および４Ｂを参照して、以下の説明は、本明細書で開示される改善された治療方法の概要を提供する。残りの図は、従来の歯列矯正治療と比較して、開示された治療システムおよび方法が、歯を所望のアライメントに促すためのより良いトルク、回転、および先端制御を提供する方法の例に関する追加の詳細を示す。
【００４０】
図４は、複数のブラケット１００、１０２、１０４を有する患者の歯５０の例示的な列を示し、単一のブラケットが、後歯１５０（小臼歯および臼歯）を介して前歯１２０（たとえば、中央、外側、および犬歯）のそれぞれに取り付けられる。ブラケット１００、１０２、１０４はそれぞれ、アーチワイヤ１１０を受け入れるためのサイズと寸法である、アーチワイヤスロット１０５、１１５（それぞれ、ブラケット１０４の断面は図４Ａ、４Ｂには示されていない）を含み、アーチワイヤ１１０は、すべてのブラケット１００、１０２、１０４を一緒に接続し、ブラケット１００、１０２、１０４のそれぞれに対して力を提供して、歯を所望の整列に促す。
【００４１】
好ましくは、アーチワイヤスロット１０５、１１５の咬合−歯肉寸法（すなわち、アーチワイヤスロットの幅）は、セット内のすべてのブラケット１００、１０２、１０４について同じか（例えば、製造公差内で）実質的に同じである。アーチワイヤスロットの幅をすべてのブラケットにわたって等しく（または実質的に等しく）維持すると、以下でさらに詳しく説明するように、上顎および下顎の歯列弓のすべての歯のトルクおよび先端の位置決めの精度が向上する。しかしながら、アーチワイヤスロット１０５、１１５の唇−舌側寸法（すなわち、ブラケット本体の上面からアーチワイヤ床まで測定されたアーチワイヤスロットの深さ）は、前歯１２０に配置されたブラケット１００から後歯１５０に配置されたブラケット１０２へと漸進的に増加する。
【００４２】
この構成では、前歯１２０上のブラケット１００のセットはすべて同一であることが好ましく、それぞれが最小の深さのアーチワイヤスロット１０５を持っており（つまり、これらのブラケットは断面サイズが最小のアーチワイヤスロットを持っている）、ブラケット１００、１０２のアーチワイヤスロット１０５、１１５のそれぞれの深さの間のどこかにある深さを有する小臼歯の後部ブラケット１０４上のアーチワイヤスロット（図示せず）を有するとともに、後歯１５０（主に臼歯）のブラケット１０２は、最大深さのアーチワイヤスロット１１５を有する（すなわち、これらのブラケットは、最大断面サイズのアーチワイヤスロットを有する）。いくつかの実施形態では、前方ブラケット１００のアーチワイヤスロット１０５は、ほぼ正方形の断面を有してもよく、一方、小臼歯ブラケット上のアーチワイヤスロット（図示せず）はほぼ長方形の断面を有し、後部ブラケット１０２のアーチワイヤスロット１１５はより細長い長方形の断面を有する。
【００４３】
アーチワイヤのスロットの深さが徐々に増加するブラケットのセットの配置は、前歯１２０の十分な精度とより厳密な制御を提供し、所望の審美的外観を実現しやすくし、小臼歯と大臼歯の動きの自由度を高め、治療が完了したときにすべての歯が適切に揃うようにする。次のセクションでは、歯列矯正ブラケットの配置例を参照しながら、これらの実施形態の追加の詳細を提供する。
【００４４】
広範囲のさまざまなサイズのブラケットに適用できる標準の参照フレームを提供するために、次の例は、アーチワイヤの唇−舌方向寸法に対するアーチワイヤスロットの唇−舌方向寸法（深さなど）の関係を示している。本明細書に記載の比率は、現在利用可能な標準ブラケットサイズおよび将来開発される可能性のある他のブラケットサイズを含む、あらゆるサイズの歯列矯正ブラケットに適用できることを理解されたい。
【００４５】
上記のように、ブラケットのアーチワイヤスロットの唇−舌側の寸法は、前部ブラケットから後部ブラケットに向かって徐々に大きくなり、前歯、小臼歯、および大臼歯は、それぞれの歯の動きを最適に制御するために特に目標とするさまざまな力のプロファイルを受ける。以下の表１は、上顎および下顎の両方の歯列弓の中心歯から臼歯までのアーチワイヤの唇−舌寸法の割合として提示される、アーチワイヤスロットの深さの一実施形態による例示的な構成を示す。
【００４６】
【表１】
2020520737.tif 000003
【００４７】
図４および表１をまとめて参照すると、例示的な歯列矯正治療方法の間、ブラケット１００は、患者の前歯１２０（中央歯、側歯、および犬歯）に取り付けられる。前述し、表１に示すように、すべてのブラケット１００は、すべての前歯１２０がそれぞれ互いに同一の寸法のブラケットを有するように同一であることが好ましい。表１に示すように、アーチワイヤスロット１０５の唇−舌側の寸法は、アーチワイヤ１１０の対応する寸法の１０２％〜１１０％の範囲にある。次に、ブラケット１０４が患者の第１および第２小臼歯に取り付けられ、これらのブラケットのアーチワイヤスロットの唇−舌側寸法は１１０％〜１２５％の範囲である。最後に、ブラケット１０２は、患者の後歯１５０（例えば、第１および第２の臼歯、存在する場合、第３の臼歯を含み得る）に取り付けられる。表１に示されるように、ブラケット１０２のアーチワイヤスロット１１５の唇−舌側寸法は、アーチワイヤ１１０の対応する寸法の１２０％〜１４０％の範囲である。前述のように、アーチワイヤスロットの咬合-歯肉方向の寸法は、すべてのブラケットで一定のままである。したがって、一実施形態では、アーチワイヤの咬合−歯肉方向寸法のパーセンテージとしてのアーチワイヤスロットの咬合−歯肉方向寸法は、１０２％〜１１０％の範囲であり得る。
【００４８】
以下の表２は、０．０２０インチ×０．０２０インチの正方形のアーチワイヤを使用したブラケットのアーチワイヤスロットの寸法範囲の例を示す。そのような実施形態では、０．０２０インチ×０．０２０インチの正方形の最終アーチワイヤを使用するシステムのブラケット内のアーチワイヤスロットの咬合−歯肉寸法は、０．０２０４インチから０．０２２インチの範囲で、そのような実施形態では０．０２１インチである。
【００４９】
【表２】
2020520737.tif 000004
【００５０】
表２は、０．０２０”×０．０２０”の正方形のアーチワイヤの寸法範囲の例を示し、他の実施形態では、最終的なアーチワイヤの唇−舌および咬合−歯肉の寸法は、０．０１７”×０．０１７”平方から０．０２１”×０．０２１”平方の範囲であり得る。さらに他の実施形態では、アーチワイヤの寸法は、提供される範囲より大きくても小さくてもよい。
【００５１】
上述の実施形態では、ブラケットのサイズは、それらが取り付けられる特定の歯に基づいて本質的にグループ化される。例えば、すべての前歯１２０は、アーチワイヤスロットと同じ寸法のそれぞれのブラケットを有し、すべての後歯１５０は、アーチワイヤスロットと同じ寸法のそれぞれのブラケットを有する。他の実施形態では、ブラケットのサイズと寸法は異なってグループ化されてもよく、または、中央歯から始まり第２（または第３）臼歯で終わる連続したブラケットごとに、スロットの唇−舌方向寸法が単純に徐々に深くなる場合があることを理解されたい。ただし、ブラケットをグループに配置して、さまざまな歯のグループが必要に応じて制御されるように（つまり、前歯がより細かく制御されるように）治療時間を短縮し、患者に良い結果をもたらすことが好ましい。以下の図４Ａおよび図４Ｂは、改善された歯列矯正治療方法およびシステムの例示的な実施形態を示し、例示的な治療段階中に前部ブラケット１００および後部ブラケット１０２のそれぞれのアーチワイヤスロット内にアーチワイヤがどのように位置するかを示す。
【００５２】
図４Ａは、前歯１２０の１つに取り付けられた改良されたデンタルブラケット１００を示している。ブラケット１００は、唇−舌方向の上面から第１のフロアまで測定された深さが咬合−歯肉方向に延びる幅に実質的に等しい正方形のアーチワイヤスロット１０５を含み、アーチワイヤ１１０は、治療の最終段階中にアーチワイヤスロット１０５内にぴったりと適合するようになっている。これらの前部ブラケット１００の正方形のアーチワイヤスロット１０５は、後歯のブラケットと比較して最小の深さを有し、スロット１０５内のアーチワイヤ１１０の適合は、図５Ａ〜図７Ｃを参照して以下でさらに詳細に説明されるように、前歯１２０の位置決めにおいて最も正確になるようにする。前述のように、下顎および上顎の両方の歯列弓の中央歯、側歯、および犬歯に使用されるブラケットは、図４Ａの正方形のアーチワイヤスロット１０５と同一のアーチワイヤスロットを有する。
【００５３】
図４Ｂは、後歯１５０の１つに取り付けられた改良されたデンタルブラケット１０２を示している。図４Ｂを参照すると、デンタルブラケット１０２は、アーチワイヤスロット１０５の対応する深さよりも深い深さまで延びるアーチワイヤスロット１１５を有する。いくつかの実施形態では、アーチワイヤスロット１１５は、前歯１２０上のブラケット１００の概して正方形の形状と比較して、概して長方形の形状を有してもよい。したがって、アーチワイヤ１１０は、アーチワイヤスロット１１５内に比較的緩く嵌合し、前歯１２０と比較して、後歯１５０により多くの運動の自由度を提供する。後歯１５０はより自由に動くことができるが、アーチワイヤ１１０のアーチワイヤスロット１１５への比較的ゆるいフィットはまた、前歯１２０と比較して、後歯１５０の歯の動きのより少ない程度の微調整をもたらす。しかしながら、歯列矯正治療は、歯列弓のすべての歯が全体として十分な動きの自由度を持ち、アーチワイヤとブラケットが歯を所望のアライメントに動かすのに十分な制御を提供するように設計されている。
【００５４】
図４Ａおよび４Ｂは、治療の最終段階の例示的な構成を示すことを意図していることを理解されたい。当業者は、治療の初期段階および中間段階が、必要に応じてアーチワイヤに異なるサイズおよび形状を使用し得ることを理解する。例えば、いくつかの実施形態では、アーチワイヤの断面は、治療の開始時の丸いアーチワイヤから、治療の過程でさまざまな円形および正方形の断面を通って、図４Ａおよび４Ｂに示すように正方形の断面を持つ最終的なアーチワイヤに進むことができる。最終的な正方形の断面のアーチワイヤは、患者にやさしく、歯の動きに効果的な力を生み出す。さらに、最終的なアーチワイヤの正方形の断面は、歯の位置の優れた制御を提供する。
【００５５】
当業者はまた、開示されたシステムおよび方法の他の実施形態が、今説明したもの以外の他の断面形状を使用し得ることを認識するであろう。例えば、いくつかの実施形態では、デンタルブラケット１００は、断面が長方形であるが、デンタルブラケット１０２よりも小さいアーチワイヤスロットを有していてもよい。同様に、いくつかの実施形態では、デンタルブラケット１０２は、デンタルブラケット１００よりも大きい正方形断面のアーチワイヤスロットを有してもよい。
【００５６】
表１および２に示されている寸法に従って、正方形の最終アーチワイヤと結合された前部ブラケットと後部ブラケットのアーチワイヤスロット寸法の組み合わせは、治療時間を短縮するためにすべての歯の効率的な制御を維持しながら、前歯と後歯の正確な位置決めをもたらす改善された歯科矯正治療システムと方法を提供する。図５Ａ〜図７Ｃを集合的に参照して、以下のパラグラフは、従来の治療方法と比較して改善された治療方法が歯の動きのより効率的な制御を提供する方法に関する追加の詳細を説明する。
【００５７】
図５Ａ、図５Ｂ、および図５Ｃをまとめて参照すると、以下は、既存のシステムよりもアーチワイヤスロット１０５、１１５の様々な寸法が、治療の早い段階で歯の位置決めをより細かく制御する方法を示す。図５Ａおよび５Ｂは、治療の仕上げ段階中に図４Ａおよび４Ｂに示されるブラケットを使用して前歯（図５Ａ）および後歯（図５Ｂ）に提供されるトルクの制御（例えば、近位−遠位方向に向けられた水平軸を中心とした治療中の歯の角回転）を示す。ブラケット１００、１０２を接続するアーチワイヤ１１０は、それぞれアーチワイヤスロット１０５、１１５、ねじれ角１６０（図５Ａ）および１６５（図５Ｂ）のアーチワイヤスロットの側面の正方形のアーチワイヤ１１０の角部でねじられるため、それにより、ブラケットが取り付けられている歯に力を伝達し、その結果、近位−遠位方向に向けられた軸の周りに歯を回転させる。
【００５８】
図５Ａに示すように、前部ブラケット１００のアーチワイヤ１１０の一部は、アーチワイヤスロット１０５のフロアに着座して接触し、アーチワイヤ１１０の別の部分は、アーチワイヤスロット１０５上に延びる結紮構造に接触する。アーチワイヤ１１０がアーチワイヤスロット１０５内でねじられると、アーチワイヤスロット１０５の側壁およびフロアに対する、および結紮構造に対する接触により、歯が所望のように回転するように促される。図５Ｂでは、後部ブラケット１０２のアーチワイヤ１１０は、同様にアーチワイヤスロット１１５の側壁およびフロアに接触するが、アーチワイヤスロット１０５と比較してアーチワイヤスロット１１５の深さが大きいため、アーチワイヤ１１０は結紮構造から離れている。他の実施形態（図示せず）では、代わりに、アーチワイヤ１１０は結紮構造に接触し、アーチワイヤスロットの床から離間していてもよい。
【００５９】
図５Ａでは、アーチワイヤスロット１０５は、アーチワイヤ１１０よりも全体寸法がわずかに大きいだけであるため、回転角１６０は比較的小さい。図５Ｂでは、アーチワイヤスロット１１５は、アーチワイヤスロット１０５と比較して、より大きな長方形の形状を有するが、咬合−歯肉の寸法（すなわち、幅）は両方のブラケットで同じであるため、回転角１６５も比較的小さく、回転角１６０と等しい（または実質的に等しい）場合がある。いくつかの実施形態では、回転角１６０、１６５は、治療の最終段階中に一般的であり得るような、正方形の０．０２０”×０．０２０”アーチワイヤを使用する場合、３°から６°の範囲であり得る。治療の初期段階で一般的であるような、より小さな正方形の０．０１８”×０．０１８”アーチワイヤを使用する場合、回転角１６０、１６５は１３°から１６°の範囲であり得る。
【００６０】
図５Ｃは、長方形のアーチワイヤスロット６を有するブラケット２と共に長方形の０．０１８”×０．０２５”のアーチワイヤ４を使用する一実施形態による従来の治療方法を示す。この構成において、回転角１７０は、アーチワイヤスロット２内のアーチワイヤ４のより緩い適合のために、改善されたシステムのそれぞれの回転角１６０、１６５よりも実質的に大きいことは容易に明らかである。いくつかの実施形態では、回転角１７０は、治療の最終段階中に１０°から１５°の範囲であり得る。治療の初期段階でより一般的な、より小さな長方形の０．０１４”×０．０２５”アーチワイヤを使用する場合、回転角１７０は２５°から３０°の範囲になる。特に、治療の初期段階と最終段階の両方の回転角１６０、１６５は、従来のシステムの対応する回転角１７０よりも実質的に小さく、つまり、図５Ａおよび５Ｂのシステムは、図５Ｃの従来のシステムよりも正確なトルク制御を提供する。
【００６１】
図６Ａおよび図６Ｂにおいて、以下は、先端制御に関して同じ現象を示しており、頬−舌方向に向いた水平軸を中心とした治療中の歯の角回転である。図６Ａは、アーチワイヤスロット１０５を備えた前部ブラケット１００を示しており、アーチワイヤスロット１０５を介して、ブラケットに取り付けられた歯を位置決めするために使用される。図６Ａに示されるように、アーチワイヤスロット１０５内のアーチワイヤ１１０の相対的な適合は、回転角度１７５に対するより厳密な制御を提供する。正方形の０．０２０”×０．０２０”アーチワイヤを使用する場合、回転角１７５は１°未満で、０．４°から０．６°の範囲であることとしてもよい。当業者は、図６Ａの図が後部ブラケット１０５によって提供される先端制御も表すことを理解するであろう。
【００６２】
図６Ｂは、アーチワイヤ４がブラケット２に取り付けられた歯を位置決めするために使用されるアーチワイヤスロット６を備えた従来のブラケット２を示している。図６Ｂに示されるように、スロット６内のアーチワイヤ４の比較的緩い結果、大きな回転角１８０が生じる。いくつかの実施形態では、長方形のアーチワイヤ０．０１８”×０．０２５”のアーチワイヤを使用して、角度１８０は１．５°から２．０°の範囲であり得る。再び、角度１７５は、図６Ｂの先行技術システムによって達成される角度１８０よりも著しく小さく、それにより、改善された治療方法およびシステムがより微細な先端制御を提供することを示している。
【００６３】
図７Ａ、７Ｂ、および７Ｃを参照すると、以下は回転制御に関して同じ現象を示し、これは切歯−歯肉方向に向けられた垂直軸の周りの治療過程中の歯の角回転である。図７Ａは、アーチワイヤスロット１０５を有する前部ブラケット１００を示しており、アーチワイヤスロット１０５を介して、ブラケットに取り付けられた歯を位置決めするためにアーチワイヤ１１０が使用される。図７Ａに示されるように、アーチワイヤスロット１０５内のアーチワイヤ１１０の相対的な適合は、前歯１２０上のブラケット１００によって与えられる回転角度１８５に対するより厳密な制御を提供する。正方形の０．０２０”×０．０２０”アーチワイヤを使用する場合、回転角１８５は１°未満で、０．４°から０．７°の範囲であることとしてもよい。治療の初期段階で一般的であるような、より小さな正方形の０．０１８”×０．０１８”アーチワイヤを使用する場合、回転角１８５は１．５°から２．２°の範囲であり得る。
【００６４】
同様に、図７Ｂは、アーチワイヤスロット１１５を備えた後部ブラケット１０２を示しており、アーチワイヤスロット１１５を介して、ブラケットに取り付けられた歯を位置決めするためにアーチワイヤ１１０が使用される。正方形の．０２０”×０．０２０”アーチワイヤを使用する場合、回転角度１９０は１．７°から２．２°の範囲であり得る。治療の初期段階で一般的であるような、より小さな正方形の０．０１８”×０．０１８”アーチワイヤを使用する場合、回転角１９０は３．０°から３．３°の間の範囲であり得る。
【００６５】
図７Ｃは、アーチワイヤ４がブラケット２に取り付けられた歯を位置決めするために使用されるアーチワイヤスロット６を有する従来のブラケット２を示す。図７Ｃに示されるように、従来のシステムは、長方形のアーチワイヤ０．０１８”×０．０２５”のアーチワイヤを使用して、１．５°〜２．０°の範囲であり得る回転制御角度１９５をもたらす。回転制御角度１９５は、回転角度１９０と同様であってもよいが、回転角度１８５よりもかなり大きい。したがって、改善された治療方法およびシステムは、従来の治療システムと比較して、前歯のより細かい回転制御と、後歯のわずかに改善された制御を提供する。
【００６６】
図５Ａ〜図７Ｃは主に治療の仕上げ段階に焦点を当てて、従来の治療方法に対するトルク、先端、および回転の改善を示すが、以下の表と説明は、改善された治療システムが治療のすべての段階でどのように大きな利点を提供するかを示している。実例として治療の初期段階を使用して、ここで説明する改善されたシステムは、表２に示す測定値を持つアーチワイヤスロットに０．０１４直径のアーチワイヤを使用する。次の表３と４は、従来のシステムに対するトルク、先端、回転の制御の改善をまとめたものである。
【００６７】
治療の初期段階では、丸いアーチワイヤを使用することが好ましく、これは、丸いアーチワイヤにはねじれたときにアーチワイヤスロットに引っかかるエッジがないため、トルク制御を提供しないが、４．４６度の回転制御と３．８３度の先端制御を実現する。しかしながら、初期治療段階の従来技術のシステムは、同様にトルクの制御を提供しないが、８．４７度の回転制御と４．２９度の先端制御しか提供できない。トルクの制御と同様に、表３は、開示されたシステムが治療のあらゆる段階で歯の動きをより強力に制御することを示している。
【００６８】
【表３】
2020520737.tif 000005
【００６９】
【表４】
2020520737.tif 000006
【００７０】
図面および関連する書面による説明は、特定の寸法を有するブラケットの例示的な実施形態を示しているが、開示された主題の原理から逸脱することなく他の構成が可能であり得ることを理解されたい。さらに、上記の説明は多くの特異性を含むが、これらの詳細は本発明の範囲を限定するものとして解釈されるべきではなく、単に本発明のいくつかの実施形態の例示を提供するものとして解釈される。本明細書の一部に開示される主題は、そのような組み合わせが相互に排他的または動作不能でない限り、本明細書の他の部分の1つまたは複数の主題と組み合わせることができることを理解されたい。
【００７１】
上記で使用されている用語と説明は、説明のみを目的として記載されており、制限を意味するものではない。本発明の基礎となる原理から逸脱することなく、上述の実施形態の詳細に多くの変更を加えることができることは、当業者には明らかであろう。
【図１】
2020520737.tif 000007
【図２】
2020520737.tif 000008
【図３】
2020520737.tif 000009
【図４】
2020520737.tif 000010
【図４Ａ】
2020520737.tif 000011
【図４Ｂ】
2020520737.tif 000012
【図５】
2020520737.tif 000013
【図６】
2020520737.tif 000014
【図７】
2020520737.tif 000015
【国際調査報告】
2020520737.tif 000016